(57)【要約】      （修正有）【課題】金属製の筐体に因る無線特性の劣化を抑制することができる無線基板の取付を実現すること。【解決手段】無線基板固定構造は、金属製の筐体１と、筐体に組み込まれる無線基板２と、無線基板を取り付ける無線基板ケース３と、無線基板ケースを固定する固定カバー４とから構成され、筐体に取り付けられた固定カバーに、無線基板を取り付けた無線基板ケースを吊り下げる形で固定する。【選択図】図１
2014225488.tif 000002
【特許請求の範囲】
【請求項１】
金属製の筐体と、前記筐体に組み込まれる無線基板と、前記無線基板を取り付ける無線基板ケースと、前記無線基板ケースを固定する固定カバーとから構成され、
前記筐体に取り付けられた前記固定カバーに、前記無線基板を取り付けた前記無線基板ケースを吊り下げる形で固定する、
無線基板固定構造。
【請求項２】
金属製の筐体と、前記筐体に組み込まれる無線基板と、前記無線基板ケースを固定する固定カバーとから構成され、
前記筐体に取り付けられた前記固定カバーに、前記無線基板を直接吊り下げる形で固定する、
無線基板固定構造。
【請求項３】
金属製の筐体と、前記筐体に組み込まれる無線基板と、前記無線基板を取り付ける無線基板ケースと、前記無線基板ケースを固定する固定カバーと、前面カバーとから構成され、
前記前面カバーに前記無線基板を取り付けた前記無線基板ケースを吊り下げる形で固定する、
無線基板固定構造。
【請求項４】
金属製の筐体と、前記筐体に組み込まれる無線基板と、前記無線基板ケースを固定する固定カバーと、前面カバーとから構成され、
前記前面カバーに前記無線基板を直接吊り下げる形で固定する、
無線基板固定構造。
【発明の詳細な説明】
【技術分野】
【０００１】
本発明は、無線機能を有した機器の筐体に基板（以下、無線基板）を固定する際の構造に関するものである。
【背景技術】
【０００２】
機器本体において基板を固定する際の構造として、例えば特許文献１に開示された構造がある。図５に示されるように、取付板１５から斜め方向に立てて設けられた可撓性（フレキシビリティ）を有する傾斜面部１６により、取付板１５から離間した位置に支持される基板固定面部１３に、例えば金属性のビス３０を用いて基板２０を固定する。
【０００３】
このように、取付板１５を所定の装置に取り付けることで、その装置に衝撃が加わった際に、取付板１５を通じて伝わるその衝撃または振動に応じて傾斜面部１６が変形する。すると、傾斜面部１６が衝撃または振動を吸収して、基板固定面部１３に支持されている基板２０に作用する衝撃または振動を低減し、その基板２０の破損を低減することができる。
【０００４】
一方、ガスなどのユーティリティの流量を測定するために金属製の筐体に設置されたメータに無線機能を追加したスマートメータの設置が盛んに行われている。具体的には、既に設置されたメータに、無線機器が増設される。
【０００５】
無線機器を増設する場合、短時間かつ容易に作業を進めるために、メータ本体の外側に取り付けることが一般的である。しかしながら、メータ本体の外側に無線機器を取り付けると、いたずらなどによって無線機器が取り外される危険性がある。また、無線機器をメータ本体に接続するために、電気配線がメータ本体の外側に現れる。すると、雷サージの影響により、無線機器などに不具合が発生する可能性がある。
【０００６】
したがって、これらの問題に対応するために、無線機器をメータ本体の内部に取り付ける必要がある。無線機器をメータ本体の内部に取り付ける場合、特許文献１に開示された固定方法を用いることが可能である。
【先行技術文献】
【特許文献】
【０００７】
【特許文献１】特開２００８-１６６３８９号公報
【発明の概要】
【発明が解決しようとする課題】
【０００８】
しかしながら、無線基板の取り付け方向によっては、メータ本体が取り付けられた金属製の筐体との距離が、無線特性に影響を及ぼす。特に、無線機能を有する無線基板をメータ本体に固定するために特許文献１に開示された固定方法を用いた場合、無線基板を固定するための金属製のビスの長さの分、金属製の筐体との距離がより近くなり、金属製のビスを伝って無線特性が劣化するという課題がある。
【０００９】
本発明の目的は、金属製の筐体に因る無線特性の劣化を抑制することができる無線基板の取付を実現することである。
【課題を解決するための手段】
【００１０】
本発明における無線基板固定構造は、金属製の筐体と、前記筐体に組み込まれる無線基
板と、前記無線基板を取り付ける無線基板ケースと、前記無線基板ケースを固定する固定カバーとから構成され、前記筐体に取り付けられた前記固定カバーに、前記無線基板を取り付けた前記無線基板ケースを吊り下げる形で固定する。
【発明の効果】
【００１１】
本発明により、金属製の筐体に因る無線特性への影響を低減しつつ、筐体に無線基板を取り付けることができる。
【図面の簡単な説明】
【００１２】
【図１】本発明の第１の実施の形態における無線基板固定構造を示す図
【図２】本発明の第２の実施の形態における無線基板固定構造を示す図
【図３】本発明の第３の実施の形態における無線基板固定構造を示す図
【図４】本発明の第４の実施の形態における無線基板固定構造を示す図
【図５】従来の基板固定構造を示す図
【発明を実施するための形態】
【００１３】
ケース内部に納める際に、ネジで無線部を含む回路を固定すると、ネジを介して、金属筐体に近づいてしまうため無線特性が劣化する可能性がある。そこで本発明ではネジを使わずに、(ケース蓋側に)引っかきなどを設けて、固定するようにした。
【００１４】
第１の発明は、金属製の筐体と、筐体に組み込まれる無線基板と、無線基板を取り付ける無線基板ケースと、無線基板ケースを固定する固定カバーとから構成され、筐体に取り付けられた固定カバーに、無線基板を取り付けた無線基板ケースを吊り下げる形で固定することで、製品筐体から無線基板までの距離を確保し、無線特性に与える影響を低減させることができる無線基板固定構造である。
【００１５】
第２の発明は、金属製の筐体と、筐体に組み込まれる無線基板と、無線基板ケースを固定する固定カバーとから構成され、製品筐体に取り付けられた固定カバーに、無線基板を直接吊り下げる形で固定することで、製品筐体から無線基板までの距離を確保し、無線特性に与える影響を低減させることができる無線基板固定構造である。
【００１６】
第３の発明は、金属製の筐体と、筐体に組み込まれる無線基板と、無線基板を取り付ける無線基板ケースと、無線基板ケースを固定する固定カバーと、前面カバーとから構成され、前面カバーに無線基板を取り付けた無線基板ケースを吊り下げる形で固定することで、製品筐体から無線基板までの距離を確保し、無線特性に与える影響を低減させることができる無線基板固定構造である。
【００１７】
第４の発明は、金属製の筐体と、筐体に組み込まれる無線基板と、無線基板ケースを固定する固定カバーと、前面カバーとから構成され、前面カバーに無線基板を直接吊り下げる形で固定することで、製品筐体から無線基板までの距離を確保し、無線特性に与える影響を低減させることができる無線基板固定構造である。
【００１８】
以下、本発明の実施の形態について、図面を参照しながら説明する。なお、この実施の形態によって本発明が限定されるものではなく、同様の分野における類似の用語または類似の描写を用いて表現することが可能であることは、当業者において容易に理解されるであろう。
【００１９】
（実施の形態１）
図１は、本発明の第１の実施の形態における無線基板固定構造を示す図である。同図に示されるその構造について、以下に説明する。
【００２０】
金属製の筐体１に、固定カバー４を取り付け、無線基板２を取り付けた無線基板ケース３の突起部１０を、固定カバー４のスリット部９に差し込み、また、突起部１０が有る側の反対側の突起部１１をリブなどで固定する。
【００２１】
このような構成にすることで、金属製のビスを用いずに、筐体１から無線基板２までの距離を確保しながら筐体１に無線基板２を固定することができるため、筐体１に因るアンテナ６の無線特性への影響を低減させることができる。
【００２２】
また、無線基板２を吊り下げるような取付構造とすることで、無線基板２が筐体１と直接接地する部分が無くなり、電気的な結合による無線特性の影響も抑制できるという利点もある。
【００２３】
なお、図１ではアンテナ６のスペースを確保するため無線基板２が下向きに構成されているが、無線基板２を上向きに構成してもよい。
【００２４】
（実施の形態２）
図２は、本発明の第２の実施の形態における無線基板固定構造を示す図である。同図に示されるその構造について、以下に説明する。
【００２５】
金属製の筐体１に、固定カバー４を取り付け、無線基板２の突起部１０を、固定カバー４のスリット部９に差し込み、また、その反対側部をリブなどで固定する。
【００２６】
このような構成にすることで、金属製のビスを用いずに、筐体１から無線基板２までの距離を確保しながら筐体１に無線基板２を固定することができるため、筐体１に因るアンテナ６の無線特性への影響を低減させることができる。
【００２７】
また、無線基板２を吊り下げるような取付構造とすることで、無線基板２が筐体１と直接接地する部分が無くなり、電気的な結合による無線特性の影響も抑制できるという利点もある。
【００２８】
なお、図２ではアンテナ６のスペースを確保するため無線基板２が下向きに構成されているが、無線基板２を上向きに構成してもよい。
【００２９】
（実施の形態３）
図３は、本発明の第３の実施の形態における無線基板固定構造を示す図である。同図に示されるその構造について、以下に説明する。
【００３０】
金属製の筐体１に、固定カバー４を取り付る。無線基板２を取り付けた無線基板ケース３の突起部１０を、前面カバー５のスリット部１２に差し込み、また、その反対側部をリブなどで固定する。更にこの前面カバー５を前記固定カバー４に取り付ける。
【００３１】
このような構成にすることで、金属製のビスを用いずに、筐体１から無線基板２までの距離を前記第１の発明より多く確保することができ、筐体１に因るアンテナ６の無線特性への影響を更に低減させることができる。
【００３２】
また、無線基板２を吊り下げるような取付構造とすることで、無線基板２が筐体１と直接接地する部分が無くなり、電気的な結合による無線特性の影響も抑制できるという利点もある。
【００３３】
なお、図３ではアンテナ６のスペースを確保するため無線基板２が下向きに構成されているが、無線基板２を上向きに構成してもよい。
【００３４】
（実施の形態４）
図４は、本発明の第４の実施の形態における無線基板固定構造を示す図である。同図に示されるその構造について、以下に説明する。
【００３５】
金属製の筐体１に、固定カバー４を取り付る。無線基板２の突起部１０を、前面カバー５のスリット部１２に差し込み、また、その反対側部をリブなどで固定する。更に、この前面カバー５を前記固定カバー４に取り付ける。
【００３６】
このような構成にすることで、金属製のビスを用いずに、筐体１から無線基板２までの距離を前記第２の発明よりも更に多く確保することができ、筐体１に因るアンテナ６の無線特性への影響を更に低減させることができる。
【００３７】
また、無線基板２を吊り下げるような取付構造とすることで、無線基板２が筐体１と直接接地する部分が無くなり、電気的な結合による無線特性の影響も抑制できるという利点もある。
【００３８】
なお、図４ではアンテナ６のスペースを確保するため無線基板２が下向きに構成されているが、無線基板２を上向きに構成してもよい。
【産業上の利用可能性】
【００３９】
以上のように本発明にかかる無線基板固定構造は、筐体およびカバーケースの構造に係る無線特性への影響を、回避することができる。
【符号の説明】
【００４０】
１  筐体
２  無線基板
３  無線基板ケース
４  固定カバー
５  前面カバー
６  アンテナ
９、１２  スリット部
１０、１１  突起部
【図１】
2014225488.tif 000003
【図２】
2014225488.tif 000004
【図３】
2014225488.tif 000005
【図４】
2014225488.tif 000006
【図５】
2014225488.tif 000007